(57)【要約】  【課題】記録媒体の記録状況を把握していないユーザに対しても適切な記録画像の管理を促すことができる撮像装置を提供する。  【解決手段】デジタルカメラ等の撮像装置においてＣＰＵは、記録メディアに記録されている画像データの撮影時刻情報を抽出し（ステップＳ１０）、その画像データが撮影されてから一定期間経過したか否かを判定する（ステップＳ１２、Ｓ１４）。そして、一定期間以上経過している場合には、バックアップやプリントなどを促すメッセージを撮像装置に設置された液晶ディスプレイに表示させる（ステップＳ１６）。【選択図】  図２
2007159010.tif 000002
【特許請求の範囲】
【請求項１】
撮影した画像の画像データを記録媒体に記録すると共に、該画像データに対応付けて前記画像を撮影した時刻又は前記画像データを前記記録媒体に記録した時刻に関する時刻情報を記録する撮像装置において、
前記記録媒体に記録された各画像データに対応付けされた時刻情報を前記記録媒体から読み取る時刻情報読取手段と、
前記時刻情報読取手段により読み取られた時刻情報が示す時刻から現在までの経過時間が所定時間を超えている画像データが存在する場合に所定の内容の警告を表示する警告表示手段と、
を備えたことを特徴とする撮像装置。
【請求項２】
前記警告表示手段は、前記時刻情報読取手段により読み取られた時刻情報が示す時刻から現在までの経過時間が前記所定時間を超えている画像データを判別可能に前記警告を表示することを特徴とする請求項１の撮像装置。
【請求項３】
前記警告表示手段は、前記時刻情報読取手段により読み取られた時刻情報が示す時刻から現在までの経過時間が前記所定時間を超えている画像データをバックアップ又はプリントすることを促す表示を行うことを特徴とする請求項１又は２の撮像装置。
【請求項４】
前記記録媒体に記録された画像データのサイズを縮小する縮小処理手段を備え、
前記警告表示手段は、前記時刻情報読取手段により読み取られた時刻情報が示す時刻から現在までの経過時間が前記所定時間を超えている画像データを縮小処理することを促す表示を行うことを特徴とする請求項１又は２の撮像装置。
【請求項５】
前記警告表示手段は、前記時刻情報読取手段により読み取られた時刻情報が示す時刻から現在までの経過時間が前記所定時間を超えている画像データを縮小処理するか否かをユーザに選択させる表示を行い、
前記縮小処理手段は、前記警告表示手段によって前記表示が行われた対象の画像データに対してユーザが縮小処理することを選択した場合に、該対象の画像データを縮小処理することを特徴とする請求項４の撮像装置。
【請求項６】
前記警告表示手段は、バックアップされていない画像データとプリントされていない画像データのうち少なくとも一方に該当する画像データについてのみ、前記時刻情報読取手段により読み取られた時刻情報が示す時刻から現在までの経過時間が所定時間を超えている画像データが存在する場合に前記警告を表示することを特徴とする請求項１乃至５のうちいずれか１に記載の撮像装置。
【請求項７】
前記警告表示手段は、既にバックアップされた画像データ又はプリントされた画像データについてのみ、前記時刻情報読取手段により読み取られた時刻情報が示す時刻から現在までの経過時間が所定時間を超えている画像データが存在する場合に前記警告を表示することを特徴とする請求項４又は５の撮像装置。
【請求項８】
撮影した画像の画像データを記録媒体に記録する撮像装置において、
前記記録媒体の空き容量を検出する空き容量検出手段と、
前記記録媒体に記録された画像データのサイズを縮小する縮小処理、又は、前記記録媒体に記録された画像データを削除する削除処理を行う処理手段と、
前記空き容量検出手段により検出された前記記録媒体の空き容量が所定の設定容量よりも小さくなったか否かを判定する容量判定手段と、
前記容量判定手段により前記記録媒体の空き容量が前記設定容量よりも小さくなったことが判定されると、前記処理手段により所定の画像データの縮小処理、又は、削除処理を行う処理実行手段と、
を備えたことを特徴とする撮像装置。
【請求項９】
前記処理実行手段により縮小処理、又は、削除処理を行うか否かをユーザが選択するための選択手段を備えたことを特徴とする請求項８の撮像装置。
【請求項１０】
前記処理実行手段は、バックアップされた画像データとプリントされた画像データのち少なくとも一方に該当する画像データについてのみ前記所定の画像データとして縮小処理、又は、削除処理を行うことを特徴とする請求項８又は９の撮像装置。
【発明の詳細な説明】
【技術分野】
【０００１】
本発明は撮像装置に係り、特に撮像して得られた画像データを記録媒体に記録する撮像装置に関する。
【背景技術】
【０００２】
特許文献１や特許文献２には、デジタルカメラにおいて記録媒体に記録されている記録画像がパソコン等の外部保存装置に送信済みか否かなどの送信状況や送信先等を管理し、記録画像の重複送信等が生じることがないようにした記録画像の管理方法が提案されている。
【特許文献１】特開２００５―１５９５１３号公報
【特許文献２】特開２０００―２０９５３６号公報
【発明の開示】
【発明が解決しようとする課題】
【０００３】
近年、デジタルカメラに装脱可能に装填される記録媒体（ＳＤメモリーカード等のフラッシュメモリ）の大容量化が進んでいる。そのため、デジタルカメラで撮影した非常に多くの画像（記録画像）をデジタルカメラに装填された記録媒体に記録保存させておくことができるようになっている。
【０００４】
しかしながら、記録媒体に記録保存しておくことができる記録画像の数が増加すると、記録媒体の空き容量が不足する等の状況が減るため、必要な記録画像をパソコンなどの外部機器にバックアップすることやプリンタ等でプリントすること等による記録画像の管理が十分に行われなくなることも予想される。このような状況では、記録媒体に記録されている記録画像が長期間記録保存されることになり、ユーザは、いつごろ撮影した記録画像が記録媒体に記録保存されているかも把握していない状態となり、どの記録画像をバックアップやプリントすべきかを判断することも困難になるおそれがある。特許文献１、２では、ユーザに対して記録画像の管理を積極的に促すなどの処理についての提案は行われていない。
【０００５】
本発明はこのような事情に鑑みてなされたもので、記録媒体の記録状況を把握していないユーザに対しても適切な記録画像の管理を促し、又は、補助することができる撮像装置を提供することを目的とする。
【課題を解決するための手段】
【０００６】
前記目的を達成するために、請求項１に記載の撮像装置は、撮影した画像の画像データを記録媒体に記録すると共に、該画像データに対応付けて前記画像を撮影した時刻又は前記画像データを前記記録媒体に記録した時刻に関する時刻情報を記録する撮像装置において、前記記録媒体に記録された各画像データに対応付けされた時刻情報を前記記録媒体から読み取る時刻情報読取手段と、前記時刻情報読取手段により読み取られた時刻情報が示す時刻から現在までの経過時間が所定時間を超えている画像データが存在する場合に所定の内容の警告を表示する警告表示手段と、を備えたことを特徴としている。
【０００７】
本発明によれば、記録媒体に記録されている画像データが撮影又は記録されてから一定時間経過すると、警告が表示されるため、ユーザに対して記録画像の管理を実施することを促すことができる。
【０００８】
請求項２に記載の撮像装置は、請求項１に記載の発明において、前記警告表示手段は、前記時刻情報読取手段により読み取られた時刻情報が示す時刻から現在までの経過時間が前記所定時間を超えている画像データを判別可能に前記警告を表示することを特徴としている。
【０００９】
本発明によれば、記録媒体に記録されている画像データが撮影又は記録されてから一定時間経過すると、その画像データを判別可能に表示されるため、ユーザがバックアップやプリント等を実施すべき対象の画像データを容易に認識することができる。
【００１０】
請求項３に記載の撮像装置は、請求項１又は２に記載の発明において、前記警告表示手段は、前記時刻情報読取手段により読み取られた時刻情報が示す時刻から現在までの経過時間が前記所定時間を超えている画像データをバックアップ又はプリントすることを促す表示を行うことを特徴としている。
【００１１】
本発明によれば、記録画像の管理として実施すべき具体的内容、即ち、バックアップ又はプリントを実施すべきことがユーザに対して直接的に促される。
【００１２】
請求項４に記載の撮像装置は、請求項１又は２に記載の発明において、前記記録媒体に記録された画像データのサイズを縮小する縮小処理手段を備え、前記警告表示手段は、前記時刻情報読取手段により読み取られた時刻情報が示す時刻から現在までの経過時間が前記所定時間を超えている画像データを縮小処理することを促す表示を行うことを特徴としている。
【００１３】
本発明によれば、記録画像の管理として実施すべき具体的内容、即ち、画像データを縮小処理すべきことがユーザに対して直接的に促される。
【００１４】
請求項５に記載の撮像装置は、請求項４に記載の発明において、前記警告表示手段は、前記時刻情報読取手段により読み取られた時刻情報が示す時刻から現在までの経過時間が前記所定時間を超えている画像データを縮小処理するか否かをユーザに選択させる表示を行い、前記縮小処理手段は、前記警告表示手段によって前記表示が行われた対象の画像データに対してユーザが縮小処理することを選択した場合に、該対象の画像データを縮小処理することを特徴としている。
【００１５】
本発明によれば、画像データの縮小処理を促す表示が行われた場合に、縮小処理するか否かをユーザが選択するだけでその縮小処理が実施される。
【００１６】
請求項６に記載の撮像装置は、請求項１乃至５のうちいずれか１に記載の発明において、前記警告表示手段は、バックアップされていない画像データとプリントされていない画像データのうち少なくとも一方に該当する画像データについてのみ、前記時刻情報読取手段により読み取られた時刻情報が示す時刻から現在までの経過時間が所定時間を超えている画像データが存在する場合に前記警告を表示することを特徴としている。
【００１７】
本発明によれば、記録画像の管理を実施すべき優先度の高い記録画像について記録画像の管理を促す警告が行われる。
【００１８】
請求項７に記載の撮像装置は、請求項４又は５に記載の発明において、前記警告表示手段は、既にバックアップされた画像データ又はプリントされた画像データについてのみ、前記時刻情報読取手段により読み取られた時刻情報が示す時刻から現在までの経過時間が所定時間を超えている画像データが存在する場合に前記警告を表示することを特徴としている。
【００１９】
本発明によれば、既にバックアップ又はプリントされた画像データは、管理済みの画像データであり、縮小処理に関しては優先度が高いと考えられるため、記録画像の管理として画像データの縮小処理を促す場合においては、優先度の高い記録画像について記録画像の管理を促す警告が行われることになる。
【００２０】
請求項８に記載の撮像装置は、撮影した画像の画像データを記録媒体に記録する撮像装置において、前記記録媒体の空き容量を検出する空き容量検出手段と、前記記録媒体に記録された画像データのサイズを縮小する縮小処理、又は、前記記録媒体に記録された画像データを削除する削除処理を行う処理手段と、前記空き容量検出手段により検出された前記記録媒体の空き容量が所定の設定容量よりも小さくなったか否かを判定する容量判定手段と、前記容量判定手段により前記記録媒体の空き容量が前記設定容量よりも小さくなったことが判定されると、前記処理手段により所定の画像データの縮小処理、又は、削除処理を行う処理実行手段と、を備えたことを特徴としている。
【００２１】
本発明によれば、記録媒体の空き容量が所定の設定容量より少なくなると、記録媒体に記録されている所定の画像データの縮小処理又は削除処理が行われるため、ユーザの記録画像の管理が補助される。
【００２２】
請求項９に記載の撮像装置は、請求項８に記載の発明において、前記処理実行手段により縮小処理、又は、削除処理を行うか否かをユーザが選択するための選択手段を備えたことを特徴としている。本発明は、前記処理実行手段により画像データの縮小処理、又は、削除処理を行って良いか否かをユーザが確認して選択できるようにしたものである。
【００２３】
請求項１０に記載の撮像装置は、請求項８又は９に記載の発明において、前記処理実行手段は、バックアップされた画像データとプリントされた画像データのち少なくとも一方に該当する画像データについてのみ前記所定の画像データとして縮小処理、又は、削除処理を行うことを特徴としている。本発明は、前記処理実行手段により縮小処理又は削除処理を行う画像データとしてバックアップ済み又はプリント済みの画像データとしたものである。
【発明の効果】
【００２４】
本発明によれば、ユーザが記録媒体の状況を把握しない場合であっても適切な記録画像の管理を促し、又は、補助することができる。
【発明を実施するための最良の形態】
【００２５】
以下、添付図面に従って本発明に係る撮像装置を実施するための最良の形態について詳細に説明する。
【００２６】
図１は、本発明が適用されるデジタルカメラの回路構成を示したブロック図である。同図のようにデジタルカメラは、撮像部１０、制御部１２、操作部１４、表示部１６、送受信部１８、記憶部２０を備えている。
【００２７】
撮像部１０は、撮影レンズ、絞り機構、シャッター機構、撮影レンズにより結像された被写体像を電気信号に変換する撮像素子（ＣＣＤ等）、撮像素子から得られた電気信号に基づいて所定形式の画像データを得る信号処理部、信号処理部により得られた画像データを一時的に記憶するＤＲＡＭ等から構成されている。
【００２８】
制御部１２は、ＣＰＵ、ＲＡＭ、プログラム格納用ＲＯＭ、及び、タイマ等を有したマイクロプロセッサを主たる構成要素とし、ＣＰＵは、デジタルカメラに搭載された各回路にバスラインを介して接続され、プログラム格納用ＲＯＭに格納されている制御プログラムにより回路全体の制御を行うとともに、操作部１４からの状態信号に対応した処理プログラムをプログラム格納用ＲＯＭから読み出して実行し、デジタルカメラの各機能に対応した処理を実行する。
【００２９】
操作部１４は、処理モード切替えスイッチ、機能選択用ボタン、メインスイッチ、及び、シャッターボタンを構成部品としており、文字や数値の入力が可能なキーを備えている。これらのスイッチ又はボタンが操作されると、その操作を示す状態信号が制御部１２に送信される。
【００３０】
表示部１６は、ドライバ及び液晶ディスプレイなどから構成された液晶表示装置からなり、制御部１２の画像表示制御により、撮像時の動画表示（スルー画）、再生画像表示、処理選択時の選択用メニューの表示などを行う。
【００３１】
送受信部１８は、入出力端子を有し、入出力端子に接続されるケーブルを介して外部装置（パソコンやプリンタ等）との間でデータを送受信する処理を行う。
【００３２】
記憶部２０は、フラッシュメモリ等の記録メディア（メモリカード）が装脱されるカードスロットを備え、そのカードスロットに装填された記録メディアに対してデータの書込み／読出しを行う。これによって、撮影モードで撮影された画像のＪＰＥＧ圧縮された画像データ及びその画像の撮影時刻などの付加情報を記録メディアに記録保存する。
【００３３】
次に、記憶部２０の記録メディアに記録保存されている記録画像の管理を促す表示等の処理の第１の実施の形態について説明する。制御部１２のＣＰＵは、例えば、ユーザが操作部１４の処理モード切替えスイッチによって、記録メディアに記録保存されている記録画像を表示部１６の液晶ディスプレイに再生表示する再生モードを選択したときなどの撮影に弊害を生じない所定のタイミングで図２に示すフローチャートの処理を実行する。
【００３４】
ＣＰＵは、記録メディアに記録されている記録画像の画像データ（画像ファイル）に順列を想定し、まず、先頭の画像データを対象画像データとしてその画像データの撮影時刻情報を抽出する（ステップＳ１０）。ここで、撮影時刻情報は、撮影が行われた時刻（日時）を示す情報であり、画像データの記録メディアへの記録時において画像データに対応付けられて画像データと共に記録メディアに記録されるようになっている。ただし、画像データとその撮影時刻情報とは、同一の画像ファイル内のデータとして記録されている場合であってもよいし、画像データとその撮影時刻情報とが別ファイルとして記録されている場合であってもよい。
【００３５】
次に、ＣＰＵは、ステップＳ１０において抽出した撮影時刻情報が示す撮影時刻から現在までの経過時間、即ち、現在時刻から撮影時刻を引いた差分時間を算出する（ステップＳ１２）。そして、その差分時間が所定の設定時間より長いか否かを判定する（ステップＳ１４）。
【００３６】
ステップＳ１４においてＹＥＳと判定した場合には、表示部１６における液晶ディスプレイに対象画像データの名前（例えばファイル名）と、その対象画像データのパソコン等へのバックアップやプリントを促すメッセージを表示させる（ステップＳ１６）。例えば、「バックアップ／プリントして下さい」等のメッセージを表示させる。そして、次のステップＳ１８に移行する。一方、ステップＳ１４においてＮＯと判定した場合には、このステップＳ１６の処理は実行せずに次のステップＳ１８に移行する。
【００３７】
ステップＳ１８に移行すると、ＣＰＵは、現在の対象画像データに対して記録メディアに次の画像データが存在するか否かを判定する（ステップＳ１８）。ＮＯと判定した場合には本フローチャートの処理を終了する。一方、ＹＥＳと判定した場合には、次の画像データを対象画像データとしてその画像データの撮影時刻情報を記録メディアから抽出する（ステップＳ２０）。そして、上記ステップＳ１２からの処理を繰り返し実行する。
【００３８】
以上の処理によれば、ユーザは、記録メディア内に記録されたまま放置されている画像データの存在を容易に認識することができ、記録画像の管理を行うことが促されると共にその優先度の高い記録画像を同時に認識することができる。
【００３９】
尚、上記フローチャートの処理において、画像データの撮影時刻の代わりに画像データを記録メディアに記録した時刻（画像ファイルとして画像データを記録したときのファイル作成時刻）を用いてもよい。
【００４０】
また、撮影時刻から一定時間以上経過した画像データが記録メディアに存在することを、その画像データを特定することなく（ファイル名などを表示することなく）表示するようにしてもよい。また、メッセージの内容は、バックアップやプリントを直接的に促すものでなくても、「古い画像データが存在します」のように記録メディアに古い画像データがあることをユーザに認識させることによって間接的に記録画像の管理を促すものであってもよい。
【００４１】
また、上記フローチャートのステップＳ１４において差分時間の大小を比較する際の対象となる設定時間はユーザが任意の時間に変更できるようにしてもよい。
【００４２】
また、上記フローチャートを実行するタイミングは、撮影を妨げないタイミングであることが望ましいが特定のタイミングに限定されない。例えば、デジタルカメラの電源をオン又はオフする際に実行することが考えられる。また、例えば、記録メディアの空き容量が所定容量より少なくなった場合等のように記録メディアの空き容量に応じて記録画像の管理を促すメッセージを表示させるようにしてもよい。
【００４３】
次に、記憶部２０の記録メディアに記録保存されている記録画像の管理を促す表示等の処理の第２の実施の形態について説明する。上記デジタルカメラでは、記憶部２０の記録メディアの画像データに関して、既にバックアップ（パソコン等の外部装置への複写）が実施されたものと、プリントが実施されたものと、いずれの処理も実施されていないものとにフォルダなどによって分類されて記録されているものとする。尚、バックアップもプリントも実施されていない画像データを、バックアップ／プリント未処理分類された画像データというものとする。また、バックアップ又はプリントが実施されたか否かを分類する方法はフォルダによる分類によるものに限らず画像データに付加されるタグ情報等によるものであってもよい。
【００４４】
このようなデジタルカメラにおいて、制御部１２のＣＰＵによって、第１の実施の形態の処理に変えて図３に示すフローチャートの処理を実行させることができる。
【００４５】
ＣＰＵは、記録メディアに記録されている記録画像の画像データのうち、バックアップ／プリント未処理分類された画像データに順列を想定し、そのバックアップ／プリント未処理分類された先頭の画像データを対象画像データとしてその画像データの撮影時刻情報を抽出する（ステップＳ３０）。
【００４６】
次に、ＣＰＵは、ステップＳ３０において抽出した撮影時刻情報が示す撮影時刻から現在までの経過時間、即ち、現在時刻から撮影時刻を引いた差分時間を算出する（ステップＳ３２）。そして、その差分時間が所定の設定時間より長いか否かを判定する（ステップＳ３４）。
【００４７】
ステップＳ３４においてＹＥＳと判定した場合には、表示部１６における液晶ディスプレイに対象画像データの名前（例えばファイル名）と、その対象画像データのパソコン等へのバックアップやプリントを促すメッセージを表示させる（ステップＳ３６）。例えば、第１の実施の形態と同様に「バックアップ／プリントして下さい」等のメッセージを表示させる。そして、次のステップＳ３８に移行する。一方、ステップＳ３４においてＮＯと判定した場合には、このステップＳ３６の処理は実行せずに次のステップＳ３８に移行する。
【００４８】
ステップＳ３８に移行すると、ＣＰＵは、現在の対象画像データに対して記録メディアにバックアップ／プリント未処理分類された次の画像データが存在するか否かを判定する（ステップＳ３８）。ＮＯと判定した場合には本フローチャートの処理を終了する。一方、ＹＥＳと判定した場合には、次の画像データを対象画像データとしてその画像データの撮影時刻情報を記録メディアから抽出する（ステップＳ４０）。そして、上記ステップＳ３２からの処理を繰り返し実行する。
【００４９】
以上の処理によれば、ユーザは、記録メディア内に記録されたままバックアップ等の記録画像の管理が行われていない画像データの存在を容易に認識することができ、その管理が行われていない画像データについての記録画像の管理を行うことが促されると共にその優先度の高い記録画像を同時に認識することができる。
【００５０】
尚、上記フローチャートの処理において、画像データの撮影時刻の代わりに画像データを記録メディアに記録した時刻（画像ファイルとして画像データを記録メディアに記録したときのファイル作成時刻）を用いてもよい。
【００５１】
また、撮影時刻から一定時間以上経過したバックアップ／プリント未処理分類された画像データが記録メディアに存在することを、その画像データを特定することなく（ファイル名などを表示することなく）表示するようにしてもよい。また、メッセージの内容は、バックアップやプリントを直接的に促すものなくても、「バックアップ／プリント未処理の古い画像データが存在します」のように記録メディアにバックアップ／プリント未処理の古い画像データがあることをユーザに認識させることによって間接的に記録画像の管理を促すものであってもよい。
【００５２】
また、上記フローチャートのステップＳ３４において差分時間の大小を比較する際の対象となる設定時間はユーザが任意の時間に変更できるようにしてもよい。
【００５３】
また、上記フローチャートを実行するタイミングは、撮影を妨げないタイミングであることが望ましいが特定のタイミングに限定されない。例えば、デジタルカメラの電源をオン又はオフする際に実行することが考えられる。また、例えば、記録メディアの空き容量が所定容量より少なくなった場合等のように記録メディアの空き容量に応じて記録画像の管理を促すメッセージを表示させるようにしてもよい。
【００５４】
また、上記フローチャートの処理では、バックアップとプリントのいずれも実施されていない画像データをステップＳ３６のメッセージ表示の対象画像データとしたが、バックアップが実施されていない画像データのみ、又は、プリントが実施されていない画像データのみをメッセージ表示の対象画像データとしてもよい。
【００５５】
次に、記憶部２０の記録メディアに記録保存されている記録画像の管理を促す表示等の処理の第３の実施の形態について説明する。上記第２の実施の形態と同様に上記デジタルカメラでは、記憶部２０の記録メディアの画像データに関して、既にバックアップ（パソコン等の外部装置への複写）が実施されたものと、プリントが実施されたものと、いずれの処理も実施されていないものとにフォルダなどによって分類されて記録されているものとする。尚、既にバックアップ又はプリントが実施された画像データを、バックアップ／プリント処理済分類された画像データというものとする。また、バックアップ又はプリントが実施されたか否かを分類する方法はフォルダによる分類によるものに限らず画像データに付加されるタグ情報等によるものであってもよい。
【００５６】
このようなデジタルカメラにおいて、制御部１２のＣＰＵによって、第２の実施の形態の処理に変えて図４に示すフローチャートの処理を実行させることができる。
【００５７】
ＣＰＵは、記録メディアに記録されている記録画像の画像データのうち、バックアップ／プリント処理済分類された画像データに順列を想定し、そのバックアップ／プリント処理済分類された先頭の画像データを対象画像データとしてその画像データの撮影時刻情報を抽出する（ステップＳ５０）。
【００５８】
次に、ＣＰＵは、ステップＳ５０において抽出した撮影時刻情報が示す撮影時刻から現在までの経過時間、即ち、現在時刻から撮影時刻を引いた差分時間を算出する（ステップＳ５２）。そして、その差分時間が所定の設定時間より長いか否かを判定する（ステップＳ５４）。
【００５９】
ステップＳ５４においてＹＥＳと判定した場合には、表示部１６における液晶ディスプレイに対象画像データの名前（例えばファイル名）と、その対象画像データの縮小処理を促すメッセージを表示させる（ステップＳ５６）。ここで、本実施の形態では、対象画像データの縮小処理を実施するか否かをユーザに選択させるためのメッセージを表示させるものとし、例えば、「縮小処理を実施しますか？」のようなメッセージを表示させる。そして、次のステップＳ５８に移行する。一方、ステップＳ５４においてＮＯと判定した場合には、このステップＳ５６の処理は実行せず、また、以下のステップＳ５８、Ｓ６０の処理も実行せずにステップＳ６２に移行する。
【００６０】
ステップＳ５８に移行すると、ＣＰＵは、操作部１４からの状態信号に基づいてユーザが縮小処理を実施することを選択したか否かを判定する（ステップＳ５８）。ＹＥＳと判定した場合には、対象画像データを縮小処理し、元の画像データを記録メディアから消去すると共にその縮小処理した画像データを記録メディアに記録する（ステップＳ６０）。ここで、縮小処理とは画像データのデータサイズを低減するものであればどのような処理でもよく、例えば、ＪＰＥＧ圧縮における圧縮率を変更する処理であってもよいし、画像サイズを変更する処理等であってもよい。ステップＳ５８においてＮＯと判定した場合には、ステップＳ６０の処理を実行せずステップＳ６２に移行する。
【００６１】
ステップＳ６２に移行すると、ＣＰＵは、現在の対象画像データに対して記録メディアにバックアップ／プリント処理済分類された次の画像データが存在するか否かを判定する（ステップＳ６２）。ＮＯと判定した場合には本フローチャートの処理を終了する。一方、ＹＥＳと判定した場合には、次の画像データを対象画像データとしてその画像データの撮影時刻情報を記録メディアから抽出する（ステップＳ６４）。そして、上記ステップＳ５２からの処理を繰り返し実行する。
【００６２】
以上の処理によれば、ユーザは、バックアップ等の記録画像の管理が既に行われてそのまま記録メディアに記録されている画像データの存在を容易に認識することができ、その管理が行われた画像データの縮小処理が促されると共に、圧縮処理しても問題の少ない画像データを認識することができる。
【００６３】
尚、上記フローチャートの処理において、画像データの撮影時刻の代わりに画像データを記録メディアに記録した時刻（画像ファイルとして画像データを記録メディアに記録したときのファイル作成時刻）を用いてもよい。
【００６４】
また、上記フローチャートのステップＳ５６〜ステップＳ６０の処理において、単に縮小処理を促す表示のみを行うようにし、実際に縮小処理するか否かは本フローチャートの処理と別処理で行うようにしてもよい。
【００６５】
また、撮影時刻から一定時間以上経過したバックアップ／プリント処理済分類された画像データが記録メディアに存在することを、その画像データを特定することなく（ファイル名などを表示することなく）表示するようにしてもよい。
【００６６】
また、上記フローチャートの処理では、バックアップ／プリント処理済分類された画像データを対象画像データとしたが、バックアップ／プリント未処理分類された画像データを対象画像データとしてもよいし、記録メディアに記録されている画像データの全てを対象画像データとしてもよい。
【００６７】
また、上記フローチャートのステップＳ３４において差分時間の大小を比較する際の対象となる設定時間はユーザが任意の時間に変更できるようにしてもよい。
【００６８】
また、上記フローチャートを実行するタイミングは、撮影を妨げないタイミングであることが望ましいが特定のタイミングに限定されない。例えば、デジタルカメラの電源をオン又はオフする際に実行することが考えられる。また、例えば、記録メディアの空き容量が所定容量より少なくなった場合等のように記録メディアの空き容量に応じて記録画像の管理を促すメッセージを表示させるようにしてもよい。
【００６９】
また、上記フローチャートの処理では、バックアップとプリントのいずれかが実施された画像データをステップＳ５８のメッセージ表示の対象画像データとしたが、バックアップが実施された画像データのみ、又は、プリントが実施された画像データのみをメッセージ表示の対象画像データとしてもよい。
【００７０】
また、上記フローチャートの処理では、画像データの縮小処理を促すようにしたが、画像データの削除を促すようにしてもよい。
【００７１】
次に、記憶部２０の記録メディアに記録保存されている記録画像の管理を促す表示等の処理の第４の実施の形態について説明する。上記第２又は第３の実施の形態と同様に上記デジタルカメラでは、記憶部２０の記録メディアの画像データに関して、既にバックアップ（パソコン等の外部装置への複写）が実施されたものと、プリントが実施されたものと、いずれの処理も実施されていないものとにフォルダなどによって分類されて記録されているものとする。尚、既にバックアップ又はプリントが実施された画像データを、バックアップ／プリント処理済分類された画像データというものとする。また、バックアップ又はプリントが実施されたか否かを分類する方法はフォルダによる分類によるものに限らず画像データに付加されるタグ情報等によるものであってもよい。
【００７２】
このようなデジタルカメラにおいて、制御部１２のＣＰＵによって、第２又は第３の実施の形態の処理に変えて図５に示すフローチャートの処理を実行させることができる。
【００７３】
ＣＰＵは、まず、記録メディアの空き容量を算出する（ステップＳ７０）。そして、その空き容量が所定の設定容量より小さいか否かを判定する（ステップＳ７２）。ＮＯと判定した場合には、本フローチャートの処理を終了する。一方、ＹＥＳと判定した場合には続いて記録メディア内にバックアップ／プリント処理済分類された画像データがあるか否かを判定する（ステップＳ７４）。但し、以下のステップＳ７６によって対象画像として抽出された画像データは、本ステップＳ７４での判定対象から除く。ここでＮＯと判定した場合には本発明フローチャートの処理を終了する。
【００７４】
ステップＳ７４においてＹＥＳと判定した場合、ＣＰＵは、バックアップ／プリント処理済分類された画像データのうちいずれか１つの画像データを対象画像データとして抽出する（ステップＳ７６）。尚、対象画像データとする画像データは、例えば、撮影時刻又はファイルの記録時刻が古い順に抽出するようにしてもよい。
【００７５】
そしてＣＰＵは、対象画像データを記録メディアから削除（消去）する処理（削除処理）を実施するか否かをユーザに選択させるメッセージを表示部１６における液晶ディスプレイに表示させ、ユーザの所定の操作に基づいて（操作部１４からの状態信号に基づいて）削除処理を実施するか否かを判定する（ステップＳ７８）。ＹＥＳと判定した場合には、対象画像データを記録メディアから削除し、ステップＳ７２に戻る。尚、ステップＳ７２の判定において空き容量は、ステップＳ８２で削除した画像データの容量分が増加するように再計算したものであってもよいし、ステップＳ７０において計算した空き容量であってもよいが、後者の場合には、ステップＳ７２に戻るのではなくステップＳ７４に戻るようにしてもよい。
【００７６】
ステップＳ７８においてＮＯと判定した場合、削除処理を実施することなく、続いてＣＰＵは、第３の実施の形態に示した対象画像データの縮小処理を実施するか否かをユーザに選択させるメッセージを表示部１６における液晶ディスプレイに表示させ、ユーザの所定の操作に基づいて（操作部１４からの状態信号に基づいて）縮小処理を実施するか否かを判定する（ステップＳ８０）。ＮＯと判定した場合には、縮小処理を実施することなくステップＳ７２に戻る。一方、ＹＥＳと判定した場合には、対象画像データを縮小処理し、元の画像データを記録メディアから消去すると共にその縮小処理した画像データを記録メディアに記録する（ステップＳ８４）。そして、ステップＳ７２に戻る。
【００７７】
以上の処理によれば、新たな画像データを記録するための記録メディアの空き容量が不足しそうな場合等に、ユーザはそのことを認識することができ、また、バックアップ等の記録画像の管理が既に行われてそのまま記録メディアに記録されている画像データの存在を容易に認識することができ、その管理が行われた画像データの削除処理又は縮小処理が促されると共に、削除処理又は圧縮処理しても問題の少ない画像データを認識することができる。
【００７８】
尚、上記フローチャートの処理では、バックアップ／プリント処理済分類された画像データを削除処理又は縮小処理の対象画像データとしたが、記録メディアに記録されている画像データの全てを対象画像データとしてもよい。また、撮影時刻、又は、記録メディアに記憶されたときの記録時刻が古い順に対象画像データの削除処理又は縮小処理を実施するか否かをユーザに選択させるようにしてもよい。また、記録メディアの空き容量が所定の設定容量よりも少なくなった場合にユーザの確認なく、バックパップ済み又はプリント済み等の所定の画像データの削除処理又は縮小処理を実施するようにしてもよい。
【００７９】
また、上記フローチャートのステップＳ７２の判定処理における設定容量は、ユーザが任意の容量に変更できるようにしてもよい。
【００８０】
また、上記フローチャートを実行するタイミングは、撮影を妨げないタイミングであることが望ましいが特定のタイミングに限定されない。例えば、デジタルカメラの電源をオン又はオフする際に実行することが考えられる。
【００８１】
また、上記フローチャートの処理では、バックアップとプリントのいずれかが実施された画像データを削除処理又は縮小処理の対象画像データとしたが、バックアップが実施された画像データのみ、又は、プリントが実施された画像データのみを削除処理又は縮小処理の対象画像データとしてもよい。更に削除処理と縮小処理のいずれかのみを行うようにしてもよい。
【００８２】
また、以上の第１〜第４の実施の形態に示したような処理は、静止画の撮影に特化されたデジタルカメラに限らず全ての種類の撮像装置、例えば、カメラ付き携帯電話や動画の撮影に特化されたカメラ等に適用することができる。
【図面の簡単な説明】
【００８３】
【図１】本発明が適用されるデジタルカメラの回路構成を示したブロック図。
【図２】記録画像の管理を促す表示等の処理の第１の実施の形態を示したフローチャート。
【図３】記録画像の管理を促す表示等の処理の第２の実施の形態を示したフローチャート。
【図４】記録画像の管理を促す表示等の処理の第３の実施の形態を示したフローチャート。
【図５】記録画像の管理を促す表示等の処理の第４の実施の形態を示したフローチャート。
【符号の説明】
【００８４】
１０…撮像部、１２…制御部、１４…操作部、１６…表示部、１８…送受信部、２０…記憶部
【図１】
2007159010.tif 000003
【図２】
2007159010.tif 000004
【図３】
2007159010.tif 000005
【図４】
2007159010.tif 000006
【図５】
2007159010.tif 000007